(57)【要約】【課題】  表示板に施される目盛部からなる指標部の見栄えを良好としえる斬新な透過光タイプの計器装置を提供することを目的とする。【解決手段】  表示板１６に設けられた帯状の指標部１４は、透過層１６ａからなる第１の目盛部１４ａと、遮光層１６ｄからなる第２の目盛部１４ｃと、前記第１の目盛部１４ａと前記第２の目盛部１４ｃとの領域を除く帯状の指標部１４領域に設けられ前記第１の目盛部１４ａの色合いと異なる色彩からなる帯状透過部１４ｂと、からなることを特徴とする計器装置であるため、表示板１６の透過照明時において、第１の目盛部１４ａを目立つ状態に透過照明することができ、第１の目盛部１４ａの色合いと異なる色彩からなる帯状透過部１４ｂが透過照明されることによって全体の帯状指標部１４を色分けしながら透過照明することができる。【選択図】  図２
2008164423.tif 000002
【特許請求の範囲】
【請求項１】
計器本体に設けられた回転軸の先端側に固着された指針と、この指針の回動指示する位置に対応して配設され、透光性の基板に遮光層部分と透過層部分とによる印刷を施してなる帯状の指標部が設けられた表示板と、この表示板の背後側に設けられた光源と、を備えてなる計器装置において、前記表示板に設けられた前記帯状の指標部は、透過層からなる第１の目盛部と、遮光層からなる第２の目盛部と、前記第１の目盛部と前記第２の目盛部との領域を除く帯状の指標部領域に設けられ前記第１の目盛部の色合いと異なる色彩からなる帯状透過部と、からなることを特徴とする計器装置。
【請求項２】
前記光源にて透過照明される帯状透過部の透過輝度に対し、前記第１の目盛部の透過輝度を高く設定してなることを特徴とする請求項１に記載の計器装置。
【請求項３】
前記表示板には、その表面部分に少なくとも前記帯状の指標部の領域に対応して白色による透過層を設けるとともに、その白色の透過層上に少なくとも前記第１の目盛部の領域を除いてスモーク印刷層を重ね印刷して前記帯状透過部を形成し、この帯状透過部の表面上の一部に遮光層からなる第２の目盛部を設けてなることを特徴とする請求項１または請求項２に記載の計器装置。
【請求項４】
前記第２の目盛部となる遮光層と、前記表示板に施される地色層となる遮光層と、を同一色で同一印刷行程にて形成してなることを特徴とする請求項１または請求項３に記載の計器装置。
【請求項５】
前記第１の目盛部の周囲を取り巻くように前記地色層である遮光層にて縁取り部を形成してなることを特徴とする請求項４に記載の計器装置。
【請求項６】
前記帯状透過部の領域に前記地色層によってグラデーション処理を施してなることを特徴とする請求項４または請求項５に記載の計器装置。
【発明の詳細な説明】
【技術分野】
【０００１】
本発明は、光源からの照射光線で表示板を透過照明する計器装置に関するものである。
【背景技術】
【０００２】
従来、建設機械などの特殊車輌や船舶、あるいは自動車、オートバイ等に搭載される計器装置、たとえば速度計，回転計や燃料計などの運転状況を指示する指示計器の表示板を、その表示板の背後側から光源による照射光線によって透過照明するタイプの計器装置が特許文献１などで知られている。
【特許文献１】特開２００３−２１４９１２号
【０００３】
このような表示板を透過照明する計器装置の一般的な構成としては、図１０と図１１に示すように、計器本体１の回転軸２の先端側に固着され、回転軸２を中心に回転する指針３と、この指針３の回動指示する位置に対応して透過照明される目盛部からなる指標部４と数字・文字・記号などの表記部５とが施された表示板６と、この表示板６の背面側に位置する硬質の回路基板７と、この回路基板７上に設けられ、それぞれ指針３と表示板６を照明する光源である発光ダイオード８，９と、それぞれの計器本体１を区画するとともに、指針３を照明するための発光ダイオード８と表示板６側を照明するための照明領域を区画する合成樹脂製の枠体からなる計器ハウジング１０と、この計器ハウジング１０に設けられた円筒形（筒状）の仕切壁１０ａと、によってそれぞれ照明する区域に区画して構成している。なお、前記回路基板７の背後には前記回転軸２を回動する計器本体１が取付固定されている。
【０００４】
また、発光照明（透過照明）される指針３としては、指示部３ａと指針軸２側に固定される回転中心領域となる指針本体３ｂが透明な合成樹脂、例えばアクリル樹脂などによって一体に形成されており、指針本体３ｂは遮光性の合成樹脂からなる指針キャップ３ｃで覆われている。指示部３ａは発光ダイオード８の光を受けて発光するものである。
【０００５】
表示板６は透明な合成樹脂からなる平板状の基板からなり、表示板６の表面（図中上側の面）には、目盛部からなる指標部４と数字・文字・記号などの表記部５箇所とにたとえば白色の透過層６ａが形成され、その指標部４や表記部５箇所を除いて表示板６の表面全体に遮光性の黒色の地色層（遮光層）６ｂが施されている。
【０００６】
また指針発光用としての発光ダイオード８は円筒形の仕切壁１０ａの内側に位置し、指針軸２の近傍に指針軸２を中心として円形状に取り巻いて複数設けられ、この発光ダイオード８の照射光線を指針３側へと導くように構成している。また、表示板６に設けられた指標部４や表記部５を透過照明する発光ダイオード９は円筒形の仕切壁１０ａの外側を円形状に取り巻いて複数設けられ、この発光ダイオード９からの照射光線を表示板６に設けた指標部４や表記部５側へと導くようにハウジング１０と一体に形成されたライトケース１０ｂを介して反射導光して照明するように構成している。なお、１０ｃは、ライトケース１０ｂの背後に計器本体１を覆ってなるハウジング１０のアンダーカバーである。
【発明の開示】
【発明が解決しようとする課題】
【０００７】
ところで、特許文献１や従来例からなる計器装置にあっては、計器本体１の回転軸２に取り付け固定された指針３の指示を表示板６に設けた目盛部からなる指標部４や数字・文字・記号などの表記部５などと対比して読み取ることができるように構成している。この際、日中時においては、外光にて表示板６上の全体表面部分が黒色の地色層６ｂの色合いにて視認され、指標部４や表記部５などがそのまま白色である透過層６ａの色合いにて視認される。また夜間照明時においては、指標部４と表記部５とが光源である発光ダイオード９からの照射光線によって表示板６の背面側から白色である透過層６ａの色合いにて透過照明される。なお、透過照明色を異なる色合いに照明表示する手段として、本願出願人はたとえば実公昭５８−１３２９９号公報などにて提案しているように図示はしないが白色である透過層６ａの背後側に着色透明層（たとえば緑色）を施すことによって、着色透明層の色合いである緑色が表示板６の指標部４や表記部５箇所に施された白色である透過層６ａを介して緑色にて透過照明される。従って、表示板６に施された指標部４や表記部５は透過照明によって表示板６上に鮮明に浮き出て表示されるという利点がある。
【０００８】
しかしながら従来の計器装置にあっては、表示板６上に設けられる指標部４や表記部５において、特に目盛部からなる指標部４が込み入って形成されていると透過照明時において連続して細かく並べて設けられた目盛部による指標部４全体が光輝するため目障りなイメージとして感じ取られることがある。
【０００９】
そこで本発明は、前述の課題に対して対処するため、表示板に施される目盛部からなる指標部の見栄えを良好としえる斬新な透過光タイプの計器装置を提供することを目的とする。
【課題を解決するための手段】
【００１０】
本発明は、前述した課題を解決するため、請求項１では、計器本体に設けられた回転軸の先端側に固着された指針と、この指針の回動指示する位置に対応して配設され、透光性の基板に遮光層部分と透過層部分とによる印刷を施してなる帯状の指標部が設けられた表示板と、この表示板の背後側に設けられた光源と、を備えてなる計器装置において、前記表示板に設けられた前記帯状の指標部は、透過層からなる第１の目盛部と、遮光層からなる第２の目盛部と、前記第１の目盛部と前記第２の目盛部との領域を除く帯状の指標部領域に設けられ前記第１の目盛部の色合いと異なる色彩からなる帯状透過部と、からなることを特徴とする計器装置である。
【００１１】
このように構成することにより、表示板上に設けられた帯状の指標部に沿って指針が指示されるため、指針の先端側指示部が指し示している状態を良好に判別することができるものであり、また、表示板の透過照明時において、第１の目盛部をそのまま透過照明するように形成するとともに、第２の目盛部を遮光層によって形成し、かつ第１の目盛部と前記第２の目盛部との領域を除く帯状の指標部領域に第１の目盛部の色合いと異なる色彩からなる帯状透過部を形成することによって、第１の目盛部を目立つ状態に透過照明することができるとともに、第１の目盛部の色合いと異なる色彩からなる帯状透過部を透過照明することによって全体の帯状指標部を色分けしながら透過照明することができるため、表示板上の第１の目盛部と帯状透過部とを際立たせて透過照明することができ、その目盛部を含む帯状の指標部に対して指針の指示を良好に判別することが可能となる。
【００１２】
また請求項２では、請求項１に記載の計器装置において、前記光源にて透過照明される帯状透過部の透過輝度に対し、前記第１の目盛部の透過輝度を高く設定してなることを特徴とするものである。
【００１３】
このように構成することにより、透過照明される第１の目盛部を明るく照らし出すことができ、指針によって指示する状態を第１の目盛部に対して良好に対比判読することができる。
【００１４】
また請求項３では、請求項１または請求項２に記載の計器装置において、前記表示板には、その表面部分に少なくとも前記帯状の指標部の領域に対応して白色による透過層を設けるとともに、その白色の透過層上に少なくとも前記第１の目盛部の領域を除いてスモーク印刷層を重ね印刷して前記帯状透過部を形成し、この帯状透過部の表面上の一部に遮光層からなる第２の目盛部を設けてなることを特徴とするものである。
【００１５】
このように構成することにより、透過照明される第１の目盛部を白色の透過層によって明るく照らし出すことができるとともに、帯状透過部を白色の透過層とスモーク印刷層との合成色にて透過照明することができるものであり、この際、帯状透過部は第１の目盛部の透過輝度に対して、白色の透過層とスモーク印刷層とを重ね印刷したことによって透過輝度を低く抑えた状態にて着色透過照明することができ、さらに第２の目盛部を帯状透過部の表面上に設けてなることによって、帯状透過部を背景として遮光層からなる第２の目盛部をシルエットとして浮かび上がらせて周りを透過照明することができるものであり、帯状の指標部を段階的に明暗照明表示することができ、これにより指標部の見栄えを良好にして斬新な指標部の透過照明を行うことができる。
【００１６】
また請求項４では、請求項１または請求項３に記載の計器装置において、前記第２の目盛部となる遮光層と、前記表示板に施される地色層となる遮光層と、を同一色で同一印刷工程にて形成してなることを特徴とするものである。
【００１７】
このように構成することにより、表示板上の地色層と第２の目盛部との印刷工程を個別に行うことなく同一印刷工程にて行うことができ、印刷工程数の削減を図ることができる。
【００１８】
また請求項５では、請求項４に記載の計器装置において、前記第１の目盛部の周囲を取り巻くように前記地色層である遮光層にて縁取り部を形成してなることを特徴とするものである。
【００１９】
このように構成することにより、第１の目盛部の輪郭となる縁取り部によって境目を明確にすることができるものであり、見やすい指標部を形成することができる。
【００２０】
また請求項６では、請求項４または請求項５に記載の計器装置において、前記帯状透過部の領域に前記地色層によってグラデーション処理を施してなることを特徴とするものである。
【００２１】
このように構成することにより、比較的に広い領域である帯状透過部の領域箇所に遮光層による地色層にてグラデーション処理を施すことによって、帯状透過部の領域を濃淡表示することができるため奥行き感を助長することができ、加えて帯状透過部の領域の透過照明の際に、立体感のある見栄えの良好な表示板の照明効果が期待できる。
【発明の効果】
【００２２】
本発明では、表示板に設けられた帯状の指標部は、透過層からなる第１の目盛部と、遮光層からなる第２の目盛部と、前記第１の目盛部と前記第２の目盛部との領域を除く帯状の指標部領域に設けられ前記第１の目盛部の色合いと異なる色彩からなる帯状透過部と、からなることを特徴とする計器装置であるため、帯状の指標部に沿って指針が指示されるため、指針の先端側指示部が指し示している状態を良好に判別することができるものであり、また、表示板の透過照明時において、第１の目盛部をそのまま透過照明するように形成するとともに、第２の目盛部を遮光層によって形成し、かつ第１の目盛部と前記第２の目盛部との領域を除く帯状の指標部領域に第１の目盛部の色合いと異なる色彩からなる帯状透過部を形成することによって、第１の目盛部を目立つ状態に透過照明することができるとともに、第１の目盛部の色合いと異なる色彩からなる帯状透過部が透過照明されることによって全体の帯状指標部を色分けしながら透過照明することができるため、表示板上の第１の目盛部と帯状透過部とを際立たせて透過照明することができ、その目盛部を含む帯状の指標部に対して指針の指示を良好に判別することが可能となるものであり、これにより初期の目的を達成することができる。
【発明を実施するための最良の形態】
【００２３】
以下、添付図面に基づいて、本発明を車両用の計器装置に適用した実施形態に基づいて説明する。
【００２４】
図１から図４は本発明の第１の実施形態を示すもので、図１は計器装置の主要部を示す正面図、図２は表示板の要部を示す正面図、図３は図１の計器装置の要部を示す断面図、図４は図１のＡ−Ａ線箇所の表示板を示す要部の断面図である。
【００２５】
本実施形態による計器装置として、車両用の計器装置を例にして説明する。計器本体１１の回転軸１２の先端側に固着され、回転軸１２を中心に回転する指針１３と、この指針１３の回動指示する領域に沿って目盛部を含んで帯状に形成された指標部１４と数字・文字・記号などの表記部１５とが設けられた表示板１６と、この表示板１６の背面側に位置する硬質の回路基板１７と、この回路基板１７上に設けられ、それぞれ指針１３と表示板１６を照明する光源である発光ダイオード１８，１９と、それぞれの計器本体１１を区画するとともに、指針１３を照明するための発光ダイオード１８と表示板１６側を照明するための照明領域を区画する合成樹脂製の枠体からなる計器ハウジング２０と、この計器ハウジング２０に設けられた円筒形（筒状）の仕切壁２０ａと、によってそれぞれ照明する区域に区画して構成している。なお、前記回路基板１７の背後には前記回転軸１２を回動する計器本体１１が取付固定されている。
【００２６】
また、発光照明（透過照明）される指針１３としては、従来例とほぼ同様にして指示部１３ａと指針軸１２側に固定される回転中心領域となる指針本体１３ｂが透明な合成樹脂、たとえばアクリル樹脂などによって一体に形成されており、指針本体１３ｂは遮光性の合成樹脂からなる指針キャップ１３ｃで覆われている。指示部１３ａは発光ダイオード１８の光を受けて発光するものである。
【００２７】
表示板１６は透明な合成樹脂からなる平板状の基板からなり、表示板１６の表面（図中上側の面）には、指針１３の回動指示する領域に沿って目盛部からなる帯状の指標部１４が形成されるとともに、数字・文字・記号などの表記部１５が形成され、少なくとも前記指標部１４箇所と前記表記部１５箇所とにたとえば白色の透過層１６ａが形成されている。また、その指標部１４や表記部１５箇所を除いて表示板１６の表面全体に遮光性の黒色の地色層（遮光層）１６ｂが施されている。
【００２８】
また表示板１６には、その表面部分に少なくとも帯状の指標部１４の領域に対応して前述したように白色による透過層１６ａが設けられるとともに、その白色の透過層１６ａ上に少なくとも第１の目盛部１４ａの領域を除いてスモーク印刷層１６ｃを重ね印刷して帯状透過部１４ｂが形成され、この帯状透過部１４ｂの表面上の一部に濃紺の色による遮光層１６ｄからなる第２の目盛部１４ｃが設けられている。
【００２９】
また、第１の実施形態にあっては、表示板１６に設けられる数字・文字・記号などの表記部１５の外周を取り巻くように、かつ回転軸１２を中心とした円弧形状からなる帯状の指標部１４が形成されており、帯状の指標部１４に設けられた第１の目盛部１４ａと対応して前記表記部１５（数字）が配置されている。また、第１の目盛部１４ａの間に配置される第２の目盛部１４ｃを補助目盛として形成している。
【００３０】
従って、表示板１６上に設けられた帯状の指標部１４に沿って指針１３が指示されるため、指針１３の先端側指示部１３ａが指し示している状態を良好に判別することができるものであり、また、表示板１６を照明する光源である発光ダイオード１９が不点灯時にあっては、外光にて表示板１６上の全体表面部分が黒色の地色層１６ｂの色合いにて視認され、数字による表記部１５箇所が白色である透過層１６ａの色合いにて視認される。また帯状の指標部１４の領域では、第１の目盛部１４ａ箇所が表記部１５と同様に白色である透過層１６ａの色合いにて視認されるとともに、白色である透過層１６ａ上にスモーク印刷層１６ｃを重ね印刷した帯状透過部１４ｂ箇所は白色をベースとしてスモーク印刷層１６ｃの色合いが合成された色彩（グレー色）にて視認されるものであり、補助目盛である第２の目盛部１６ｂは帯状透過部１４ｂのグレー色を背景として濃紺の色合いにて視認される。
【００３１】
また光源である発光ダイオード１９の点灯時にあっては、表記部１５と第１の目盛部１４ａとが白色の透過層１６ａの色合いにて透過照明されるものであり、帯状透過部１４ｂ箇所は白色をベースとしてスモーク印刷層１６ｃの色合いが合成されたグレー色による色彩にて着色透過照明される。また、補助目盛である第２の目盛部１４ｃを帯状透過部１４ｂの表面上に設けてなることによって、第２の目盛部１４ｃは帯状透過部１４ｂを背景として遮光層１６ｄからなる第２の目盛部１４ｃをシルエットとして浮かび上がるように周りが着色透過照明される。
【００３２】
この際、帯状透過部１４ｂは第１の目盛部１４ａの透過輝度に対して、白色の透過層１６ａとスモーク印刷層１６ｃとを重ね印刷したことによって透過輝度を低く抑えた状態にて着色透過照明することができ、さらに第２の目盛部１４ｃを帯状透過部１４ｂの表面上に設けてなることによって、帯状透過部１４ｂを背景として遮光層１６ｄからなる第２の目盛部１４ｂをシルエットとして浮かび上がらせて周りを透過照明することができるものであり、帯状の指標部１４を段階的に明暗照明表示することができ、これにより指標部１４の全体の見栄えを良好にして斬新な透過照明を行うことができる。
【００３３】
図５から図７は、本発明の第２の実施形態を示すものであり、図５は計器装置の表示板を示す正面図、図６は、図５の表示板の目盛部である帯状の指標部を主体に示した正面図、図７は図６の要部を示す表示板の断面図であり、この場合、表示板２６は、前述した第１の実施形態例と同様にして、透明な合成樹脂からなる平板状の基板によって形成されている。
【００３４】
また表示板２６の表面には、指針２３の回動指示する領域に沿って円弧状からなる帯状の指標部２４が形成されるとともに、数字・文字・記号などの表記部２５が形成され、少なくとも前記指標部２４箇所と前記表記部２５箇所とにたとえば白色からなる透過層２６ａが形成されている。また、その指標部２４や表記部２５箇所を除いて表示板２６の表面全体に遮光性の黒色からなる地色層（遮光層）２６ｂが施されている。
【００３５】
また表示板２６には、その表面部分に少なくとも帯状の指標部２４の領域に対応して前述したように白色による透過層２６ａが設けられるとともに、その白色からなる透過層２６ａ上に少なくとも第１の目盛部２４ａの領域を除いてスモーク印刷層２６ｃを重ね印刷して帯状透過部２４ｂが形成され、この帯状透過部２４ｂの表面上の一部に前記地色層（遮光層）２６ｂを施すことによって第２の目盛部２４ｃが形成されている。
【００３６】
また、第２の実施形態にあっては、表示板２６に設けられる数字・文字・記号などの表記部２５の外周を取り巻くように、かつ指針２３の回転中心を軸心とした円弧形状からなる帯状の指標部２４が形成されており、帯状の指標部２４に設けられた第１の目盛部２４ａ（主目盛部）と対応して数字による前記表記部２５が配置されている。また、主目盛部である第１の目盛部２４ａの間に配置される第２の目盛部２４ｃを補助目盛部として形成しており、前記第１の目盛部２４ａによる主目盛部と前記第２の目盛部２４ｃによる補助目盛部との間をつなぐように前記帯状透過部２４ｂによって帯状目盛部として形成している。
【００３７】
なお、第１の目盛部２４ａの周囲を取り巻くように地色層である遮光層２６ｂによって印刷することにより第１の目盛部２４ａの縁取り部２４ｄが形成されるものであり、第１の目盛部２４ａの輪郭となる縁取り部２４ｄによって境目を明確にすることができる。
【００３８】
このように構成された第２の実施形態にあっては、表示板２６を照明する光源である発光ダイオード２９が不点灯時にあっては、外光にて表示板２６上の全体表面部分が黒色の地色層２６ｂの色合いにて視認され、数字による表記部２５箇所が白色である透過層２６ａの色合いにて視認される。また帯状の指標部２４の領域にあっては、主目盛部となる第１の目盛部２４ａ箇所が表記部２５と同様に白色である透過層２６ａの色合いにて視認されるとともに、白色である透過層２６ａ上にスモーク印刷層２６ｃを重ね印刷した帯状目盛部となる帯状透過部２４ｂ箇所は白色をベースとしてスモーク印刷層２６ｃの色合いが合成された色彩（グレー色）にて視認されるものであり、補助目盛部である第２の目盛部２６ｂは帯状透過部２４ｂのグレー色を背景として地色層２６ｂの色合いである黒色にて視認される。
【００３９】
また光源である発光ダイオード２９の点灯時にあっては、数字による表記部２５と主目盛部である第１の目盛部２４ａとが白色の透過層２６ａの色合いにて透過照明されるものであり、帯状目盛部となる帯状透過部２４ｂ箇所は白色をベースとしてスモーク印刷層２６ｃの色合いが合成されたグレー色による色彩にて着色透過照明される。また、補助目盛である第２の目盛部２４ｃを帯状透過部２４ｂの表面上に設けてなることによって、帯状透過部２４ｂを背景として黒色による地色層２６ｂからなる第２の目盛部２４ｃがシルエットとして浮かび上がるように周りが着色透過照明される。
【００４０】
この際、帯状透過部２４ｂは主目盛部となる第１の目盛部２４ａの透過輝度に対して、白色の透過層２６ａとスモーク印刷層２６ｃとを重ね印刷したことによって透過輝度を低く抑えた状態にて着色透過照明することができ、さらに補助目盛部となる第２の目盛部２４ｃを帯状透過部２４ｂの表面上に設けてなることによって、帯状透過部２４ｂを背景として地色層２６ｂからなる第２の目盛部２４ｂをシルエットとして浮かび上がらせて周りを透過照明することができるものであり、帯状の指標部２４を段階的に明暗照明表示することができ、これにより指標部２４の全体の見栄えを良好にして斬新な透過照明を行うことができる。
【００４１】
従って、表示板２６の透過照明時において、主目盛部となる第１の目盛部２４ａを白色の透過層２６ａにてそのまま透過照明するように形成するとともに、補助目盛部となる第２の目盛部２４ｃを地色層（遮光層）２６ｂによって形成し、かつ第１の目盛部２４ａと前記第２の目盛部２４ｃとの領域を除く帯状の指標部２４領域に第１の目盛部２４ａの色合いと異なる色彩（たとえばグレー色）からなる帯状目盛部である帯状透過部２４ｂを形成することによって、第１の目盛部２４ａを目立つ状態に透過照明することができるとともに、第１の目盛部２４ａの色合いと異なる色彩からなる帯状透過部２４ｂを着色透過照明することによって全体の帯状指標部２４を色分けしながら透過照明することができるため、表示板２６上の第１の目盛部２４ａと帯状透過部２４ｂとを際立たせて透過照明することができ、それぞれの目盛部を含む帯状の指標部２４に対して指針２３の指示を良好に判別することが可能となる。
【００４２】
また、第１の目盛部２４ａの周囲を取り巻くように地色層である遮光層２６ｂにて縁取り部２４ｄを形成してなることにより、第１の目盛部２４ａの輪郭となる縁取り部２４ｄによって境目を明確にすることができるものであり、見やすい指標部２４を形成することができる。
【００４３】
図８および図９は、本発明の第３の実施形態を示す計器装置の表示板であり、図８は計器装置の表示板を示す正面図、図９は図８の表示板の目盛部である帯状の指標部を主体に示した断面図であり、この場合、表示板２６は、前述した第２の実施形態の変形例を示すものである。
【００４４】
ここでは、前述した第２の実施形態と同様にして、表示板２６には、その表面部分に少なくとも帯状の指標部２４の領域と数字・文字・記号などの表記部２５の領域とに対応して白色による透過層２６ａが設けられるとともに、その白色からなる透過層２６ａ上に少なくとも第１の目盛部２４ａの領域を除いてスモーク印刷層２６ｃを重ね印刷して帯状透過部２４ｂが形成され、この帯状透過部２４ｂの表面上の一部に地色層（遮光層）２６ｂを施すことによって第２の目盛部２４ｃが形成されている。
【００４５】
また、表示板２６には、帯状の指標部２４に設けられた第１の目盛部２４ａ（主目盛部）と対応して数字による表記部２５が配置されている。また、主目盛部である第１の目盛部２４ａの間に配置される第２の目盛部２４ｃを補助目盛部として形成しており、第１の目盛部２４ａによる主目盛部と第２の目盛部２４ｃによる補助目盛部との間をつなぐように帯状透過部２４ｂによって帯状目盛部として形成している。
【００４６】
また、第１の目盛部２４ａの周囲を取り巻くように地色層である遮光層２６ｂによって印刷することにより、第１の目盛部２４ａの縁取り部２４ｄが形成されるものであり、また帯状透過部２４ｂの領域には、地色層（遮光層）２６ｂによって網点状のドットパターンからなるグラデーション処理Ｇが施されている。
【００４７】
このように構成された第３の実施形態にあっては、前述の第２の実施形態と同様にして、外光にて表示板２６上の全体表面部分が黒色の地色層２６ｂの色合いにて視認され、数字による表記部２５箇所が白色である透過層２６ａの色合いにて視認される。また帯状の指標部２４の領域にあっては、主目盛部となる第１の目盛部２４ａ箇所が表記部２５と同様に白色である透過層２６ａの色合いにて視認されるとともに、第１の目盛部２４ａの輪郭となる縁取り部２４ｄによって境目が明確となるため、第１の目盛部２４ａを見やすくすることができる。
【００４８】
また、白色である透過層２６ａ上にスモーク印刷層２６ｃを重ね印刷した帯状目盛部となる帯状透過部２４ｂ箇所は白色をベースとしてスモーク印刷層２６ｃの色合いが合成された色彩（グレー色）にて視認されるものであり、この際、帯状透過部２４ｂの領域には、地色層（遮光層）２６ｂによって網点状のドットパターンからなるグラデーション処理Ｇを施すことによって、帯状透過部２４ｂの領域を濃淡表示することができるため奥行き感を助長することができる。また、補助目盛部である第２の目盛部２６ｂは帯状透過部２４ｂのグレー色を背景として地色層２６ｂの色合いである黒色にて視認される。
【００４９】
また、表示板２６の透過照明時においては、数字による表記部２５と主目盛部である第１の目盛部２４ａとが白色の透過層２６ａの色合いにて透過照明されるものであり、帯状目盛部となる帯状透過部２４ｂ箇所は白色をベースとしてスモーク印刷層２６ｃの色合いが合成されたグレー色による色彩にて着色透過照明される。この際、帯状透過部２４ｂの領域には、地色層（遮光層）２６ｂによって網点状のドットパターンからなるグラデーション処理Ｇを施すことによって、帯状透過部２４ｂの領域の透過照明の際に、立体感のある見栄えの良好な表示板の照明効果が期待できる。
【００５０】
また、補助目盛である第２の目盛部２４ｃを帯状透過部２４ｂの表面上に設けてなることによって、帯状透過部２４ｂを背景として黒色による地色層２６ｂからなる第２の目盛部２４ｃがシルエットとして浮かび上がるように周りが着色透過照明される。
【００５１】
従って、帯状透過部２４ｂは主目盛部となる第１の目盛部２４ａの透過輝度に対して、白色の透過層２６ａとスモーク印刷層２６ｃとを重ね印刷したことによって透過輝度を低く抑えた状態にて着色透過照明することができるとともに、帯状透過部２４ｂの領域に、地色層（遮光層）２６ｂによる網点状のドットパターンからなるグラデーション処理Ｇを施すことによって、帯状透過部２４ｂの領域の透過照明の際に、立体感のある透過照明を行うことができる。
【００５２】
また、補助目盛部となる第２の目盛部２４ｃを帯状透過部２４ｂの表面上に設けてなることによって、帯状透過部２４ｂを背景として地色層２６ｂからなる第２の目盛部２４ｂをシルエットとして浮かび上がらせて周りを透過照明することができるものであり、帯状の指標部２４を段階的に明暗照明表示することができ、これにより指標部２４の全体の見栄えを良好にして斬新な透過照明を行うことができる。
【００５３】
また、本実施形態においては、指針を照明する必要のない計器装置であれば、発光ダイオード（光源）を設ける必要はなく、表示板専用の発光ダイオード（光源）のみ設ける構成としてもよいし、計器本体は回路基板の背面側に固定して設けていたが、回路基板の前面側に計器本体を配設するタイプであっても同様に表示板の照明装置を適用することが可能である。
【００５４】
なお本発明は、前述した実施例に限定されるものではなく本発明の要旨の範囲内において種々の変形実施が可能である。たとえば、各実施形態においては、表示板上に設けられる帯状の指標部として指針を基点とした円弧状からなる帯状の指標部として形成していたが、楕円状であったり枠状など適宜に設定すればよいものであり、また帯状の指標部に設けられる第１の目盛部や第２の目盛部および帯状透過部の形状や幅寸法などは仕様に合わせて適宜設定すればよいものであり、表示色についても適宜変更することによって任意に設定することができる。また、スモーク印刷層などの濃度を変えることにより、色合いと透過光量が任意に設定することができるものであり、場合によっては印刷の厚みを変えたりあるいは重ね印刷を施すことにより透過率を変えることも可能である。また、第３の実施形態において、帯状透過部の領域に網点状のドットパターンからなるグラデーション処理を施すようにしていたが、グラデーションによる濃淡度の度合いによって、帯状透過部領域から透過される光量も設定することも可能であり、この場合、グラデーションによる図柄として格子状の模様や亀甲模様などにて濃淡度の度合いが変化するように設定することによりデザイン性に優れ、奥行き感を引き出すことも可能である。また、グラデーション処理としては、帯状透過部の領域に限らず、第１の目盛部においても適用することが可能である。
【図面の簡単な説明】
【００５５】
【図１】図１は、本発明の第１の実施形態である計器装置を示す正面図。
【図２】図２は、図１の表示板の要部箇所を示す正面図。
【図３】図３は、図１の計器装置の要部を示す断面図。
【図４】図４は、図１のＡ−Ａ線箇所の表示板を示す要部の断面図。
【図５】図５は、本発明の第２の実施形態を示す計器装置の正面図。
【図６】図６は、図５の表示板の要部箇所を示す正面図。
【図７】図７は、図６の要部を示す表示板の断面図。
【図８】図８は、本発明の第３の実施形態を示す計器装置の正面図。
【図９】図９は、図８の表示板の要部箇所を示す正面図。
【図１０】図１０は、従来の計器装置を示す正面図。
【図１１】図１１は、図１０の計器装置の要部を示す断面図。
【符号の説明】
【００５６】
１１    計器本体
１２    回転軸
１３，２３    指針
１４，２４    帯状の指標部
１４ａ，２４ａ    第１の目盛部
１４ｂ，２４ｂ    帯状透過部
１４ｃ，２４ｃ    第２の目盛部
１５，２５    表記部
１６，２６    表示板
１６ａ，２６ａ    透過層
１６ｂ，２６ｂ    遮光層（地色層）
１６ｃ，２６ｃ    スモーク印刷層
１６ｄ    遮光層
１７    回路基板
１８    発光ダイオード（光源）
１９，２９    発光ダイオード（光源）
２０    計器ハウジング
Ｇ    グラデーション処理
【図１】
2008164423.tif 000003
【図２】
2008164423.tif 000004
【図３】
2008164423.tif 000005
【図４】
2008164423.tif 000006
【図５】
2008164423.tif 000007
【図６】
2008164423.tif 000008
【図７】
2008164423.tif 000009
【図８】
2008164423.tif 000010
【図９】
2008164423.tif 000011
【図１０】
2008164423.tif 000012
【図１１】
2008164423.tif 000013